(57)【要約】【課題】シーソー釦を前面パネルの前方から挿入するタイプのシーソー釦型スイッチを備えた電子機器において、簡単な構成で夜間点灯時の漏光による外観不良を防止する。【解決手段】前面パネル１の裏面に形成されたインナー周壁５に、シーソー釦２の脚部２ｃを逃げる凹部５ａの両外側に外側方向に突出する庇部５ｂが形成されているので、発光ダイオード９から出射した光が、シーソー釦２のトップ部２ａの裏面で反射して両端部から漏れようとしても、光が庇部５ｂによって遮られて、前面パネル１のアウター周壁４の内側面を照射することがないので、前面パネル１の前方からは漏光が視認されず、夜間点灯時における外観不良を防止することができる。【選択図】  図１
2005025948.tif 000002
【特許請求の範囲】
【請求項１】
電子機器の前面に設けられた前面パネルと、前記前面パネルに形成された開口部に前方から挿入されて前記前面パネルに揺動可能に支持され、外周に形成された周壁に後方に向けて形成された脚部を有するシーソー釦と、前記シーソー釦の脚部により押圧されて動作するスイッチと、前記シーソー釦の裏面を照明する発光手段と、前記スイッチおよび前記発光手段を実装した基板とを備え、前記前面パネルの裏面に、前記シーソー釦の周壁の内側に対向するインナー周壁が形成され、前記インナー周壁に、前記シーソー釦の周壁に向かって突出する庇部が形成されていることを特徴とする電子機器。
【請求項２】
電子機器の前面に設けられた前面パネルと、前記前面パネルに形成された開口部に前方から挿入されて前記前面パネルに揺動可能に支持され、外周に形成された周壁に後方に向けて形成された脚部を有するシーソー釦と、前記シーソー釦の脚部により押圧されて動作するスイッチと、前記シーソー釦の裏面を照明する発光手段と、前記スイッチおよび前記発光手段を実装した基板とを備え、前記前面パネルの裏面に、前記シーソー釦の周壁の外側に対向するアウター周壁が形成され、前記アウター周壁の内側面後部が内側面前部よりも外側方向に配置されていることを特徴とする電子機器。
【請求項３】
前記前面パネルの裏面には、前記シーソー釦の周壁の外側に対向するアウター周壁が形成され、前記アウター周壁の内側面後部が内側面前部よりも外側方向に配置されていることを特徴とする請求項１に記載の電子機器。
【請求項４】
電子機器の前面に設けられる前面パネルと、前記前面パネルに形成された開口部に前方から挿入されて前記前面パネルに揺動可能に支持され、外周に形成された周壁に後方に向けて形成された脚部を有するシーソー釦とを備え、前記前面パネルの裏面に、前記シーソー釦の周壁の内側に対向するインナー周壁が形成され、前記インナー周壁に、前記シーソー釦の周壁に向かって突出する庇部が形成されていることを特徴とする操作装置。
【請求項５】
電子機器の前面に設けられる前面パネルと、前記前面パネルに形成された開口部に前方から挿入されて前記前面パネルに揺動可能に支持され、外周に形成された周壁に後方に向けて形成された脚部を有するシーソー釦とを備え、前記前面パネルの裏面に、前記シーソー釦の周壁の外側に対向するアウター周壁が形成され、前記アウター周壁の内側面後部が内側面前部よりも外側方向に配置されていることを特徴とする操作装置。
【請求項６】
前記前面パネルの裏面には、前記シーソー釦の周壁の外側に対向するアウター周壁が形成され、前記アウター周壁の内側面後部が内側面前部よりも外側方向に配置されていることを特徴とする請求項４に記載の操作装置。
【発明の詳細な説明】
【０００１】
【発明の属する技術分野】
本発明は、電子機器の前面パネルに設けられた開口部の前方から、シーソー釦を挿入する前入れ構造のシーソー釦型スイッチ備えた電子機器および前面パネルとシーソー釦を有する操作装置に関する。
【０００２】
【従来の技術】
従来、電子機器の前面パネルに設けられるシーソー釦型スイッチは、例えばカーオーディオ機器における切り換えスイッチや選択スイッチとして用いられ、シーソー釦の中央部支点を中心にトップ部の左右（上下の場合もある）いずれかを押圧することにより揺動可能に構成されている。この種のシーソー釦型スイッチは、一般的には、夜間での使用を考慮して、内部の発光ダイオードからの光により、シーソー釦のトップ部に形成された文字等を照明するようになっている。
【０００３】
シーソー釦は、前面パネルの開口部に挿入されて左右に揺動運動するため、左右の両端部における開口部とシーソー釦との間に揺動変位に必要な隙間が形成されている。このため、夜間使用時においては、この隙間から発光ダイオードの光が漏れ、この光が前面パネルの前方から視認されて外観品質が悪くなるので、光を漏れなくするための漏光防止対策が取られている（例えば、特許文献１参照）。
【０００４】
【特許文献１】
特開２００１−３０７５９５号公報
【０００５】
【発明が解決しようとする課題】
このようなシーソー釦型スイッチは、上述の特許文献１に記載されているようなシーソー釦を前面パネルの後方から挿入するタイプと、前面パネルの前方から挿入するタイプとがある。後方から挿入するタイプのものは、シーソー釦の外周に遮光用のフランジ部を形成することができるので、上記した漏光防止対策を容易に取れる利点はあるものの、シーソー釦が落下しないように保持する構成が必要となる。これに対し前方から挿入するタイプのものでは、組立が容易であるものの、シーソー釦の外周に遮光用のフランジ部を形成することができないため（フランジ部を形成すると前方から挿入できなくなる。）、漏光防止対策が難しいという問題があった。このため、トップ部裏面の反射を抑えるために、例えばシーソー釦の裏面を黒色とする二色成形を行うなど、結果としてコスト高になるという問題があった。
【０００６】
本発明は、このような従来の問題を解決するものであり、シーソー釦を前面パネルの前方から挿入するタイプのシーソー釦型スイッチを備えた電子機器において、簡単な構成で夜間点灯時の漏光による外観不良を防止することのできる電子機器および操作装置を提供することを目的とする。
【０００７】
【課題を解決するための手段】
本発明の電子機器は、電子機器の前面に設けられた前面パネルと、前記前面パネルに形成された開口部に前方から挿入されて前記前面パネルに揺動可能に支持され、外周に形成された周壁に後方に向けて形成された脚部を有するシーソー釦と、前記シーソー釦の脚部により押圧されて動作するスイッチと、前記シーソー釦の裏面を照明する発光手段と、前記スイッチおよび前記発光手段を実装した基板とを備え、前記前面パネルの裏面に、前記シーソー釦の周壁の内側に対向するインナー周壁が形成され、前記インナー周壁に、前記シーソー釦の周壁に向かって突出する庇部が形成されていることを特徴とする。この構成により、発光手段から出射した光は、シーソー釦のトップ部の裏面で反射して周壁から外側へ漏れようとするが、周壁の内側には、庇部を備えたインナー周壁が存在するので、漏れようとする光が庇部によって遮られ、シーソー釦の揺動端部からの漏光を防止して、夜間点灯時における外観不良を防止することができる。
【０００８】
また、本発明の電子機器は、電子機器の前面に設けられた前面パネルと、前記前面パネルに形成された開口部に前方から挿入されて前記前面パネルに揺動可能に支持され、外周に形成された周壁に後方に向けて形成された脚部を有するシーソー釦と、前記シーソー釦の脚部により押圧されて動作するスイッチと、前記シーソー釦の裏面を照明する発光手段と、前記スイッチおよび前記発光手段を実装した基板とを備え、前記前面パネルの裏面に、前記シーソー釦の周壁の外側に対向するアウター周壁が形成され、前記アウター周壁の内側面後部が内側面前部よりも外側方向に配置されていることを特徴とする。この構成により、発光手段から出射した光が、シーソー釦のトップ部の裏面で反射して周壁から外側へ漏れたとしても、周壁の外側には、内側面後部が外側に引っ込んだアウター周壁が存在するので、漏れた光がその内側面後部で反射しても、前面パネルの前方からは視認されることはなく、夜間点灯時における外観不良を防止することができる。
【０００９】
また、本発明の電子機器は、前記前面パネルの裏面には、前記シーソー釦の周壁の内側に対向するインナー周壁が形成され、前記インナー周壁に、前記シーソー釦の周壁に向かって突出する庇部が形成されるとともに、前記シーソー釦の周壁の外側に対向するアウター周壁が形成され、前記アウター周壁の内側面後部が内側面前部よりも外側方向に配置されていることを特徴とする。この構成により、発光手段から出射した光は、シーソー釦のトップ部の裏面で反射して周壁から外側へ漏れようとするが、周壁の内側には、庇部を備えたインナー周壁が存在するので、漏れようとする光が庇部によって遮られ、シーソー釦の揺動端部からの漏光を防止して、夜間点灯時における外観不良を防止することができる。また、たとえ発光手段から出射した光がシーソー釦両端部から漏れたとしても、アウター周壁の内側面後部が外側方向に引っ込んでいるので、漏れた光がその内側面後部で反射しても、前面パネルの前方から視認されることはなく、夜間点灯時における外観不良を防止することができる。
【００１０】
また、本発明の操作装置は、電子機器の前面に設けられる前面パネルと、前記前面パネルに形成された開口部に前方から挿入されて前記前面パネルに揺動可能に支持され、外周に形成された周壁に後方に向けて形成された脚部を有するシーソー釦とを備え、前記前面パネルの裏面に、前記シーソー釦の周壁の内側に対向するインナー周壁が形成され、前記インナー周壁に、前記シーソー釦の周壁に向かって突出する庇部が形成されていることを特徴とする。この構成により、シーソー釦のトップ部の裏面を照明する光が周壁から外側へ漏れようとするが、周壁の内側には、庇部を備えたインナー周壁が存在するので、漏れようとする光が庇部によって遮られ、シーソー釦の揺動端部からの漏光を防止して、夜間点灯時における外観不良を防止することができる。
【００１１】
また、本発明の操作装置は、電子機器の前面に設けられる前面パネルと、前記前面パネルに形成された開口部に前方から挿入されて前記前面パネルに揺動可能に支持され、外周に形成された周壁に後方に向けて形成された脚部を有するシーソー釦とを備え、前記前面パネルの裏面に、前記シーソー釦の周壁の外側に対向するアウター周壁が形成され、前記アウター周壁の内側面後部が内側面前部よりも外側方向に配置されていることを特徴とする。この構成により、シーソー釦のトップ部の裏面を照明する光が周壁から外側へ漏れたとしても、周壁の外側には、内側面後部が外側に引っ込んだアウター周壁が存在するので、漏れた光がその内側面後部で反射しても、前面パネルの前方からは視認されることはなく、夜間点灯時における外観不良を防止することができる。
【００１２】
また、本発明の操作装置は、前記前面パネルの裏面には、前記シーソー釦の周壁の内側に対向するインナー周壁が形成され、前記インナー周壁に、前記シーソー釦の周壁に向かって突出する庇部が形成されているとともに、前記シーソー釦の周壁の外側に対向するアウター周壁が形成され、前記アウター周壁の内側面後部が内側面前部よりも外側方向に配置されていることを特徴とする。この構成により、シーソー釦のトップ部の裏面を照明する光が周壁から外側へ漏れようとするが、周壁の内側には、庇部を備えたインナー周壁が存在するので、漏れようとする光が庇部によって遮られ、シーソー釦の揺動端部からの漏光を防止して、夜間点灯時における外観不良を防止することができる。また、たとえ発光手段から出射した光がシーソー釦両端部から漏れたとしても、アウター周壁の内側面後部が外側方向に引っ込んでいるので、漏れた光がその内側面後部で反射しても、前面パネルの前方から視認されることはなく、夜間点灯時における外観不良を防止することができる。
【００１３】
【発明の実施の形態】
以下、本発明の実施の形態について、図面を用いて説明する。
（実施の形態１）
図１は本発明の第１の実施の形態における電子機器のシーソー釦型スイッチの構成を示す断面図、図２はシーソー釦と前面パネルの分解断面図、図３はシーソー釦型スイッチの動作状態を示す断面図、図４（ａ）はシーソー釦と前面パネルを上から見た分解斜視図、図４（ｂ）は前面パネルのインナー周壁端部の拡大斜視図である。なお、以下の説明では、前面パネル１の表面側を前部または前方、前面パネル１の裏面側を後部または後方とし、シーソー釦２の長手方向の周壁部分を両端部、短手方向の周壁部分を両側部と呼ぶことにする。図１において、電子機器の前面に設けられる前面パネル１には、シーソー釦２を前方から挿入するための開口部３が形成されている。シーソー釦２は、長円形のトップ部２ａと、トップ部２ａの外周部から後方に延びる周壁２ｂと、周壁２ｂの両端部から後方に突出する棒状の脚部２ｃとで構成されている。脚部２ｃは、周壁２ｂから内側方向に突出している。また、長円形の周壁２ｂの中央部両側には、前面パネル１のアウター周壁４から突出形成された支点ピン１ａに回動可能に嵌合するピン穴２ｄが形成され、シーソー釦２が前面パネル１に対し揺動可能に構成されている。別の構成としては、周壁２ｂにピンを形成し、前面パネル１にピン穴を形成して両者を嵌合させるようにしてもよい。
【００１４】
前面パネル１の裏面には、シーソー釦２の周壁２ｂの外側に対向してアウター周壁４が形成されるとともに、シーソー釦２の周壁２ｂの内側に対向してインナー周壁５が形成され、これらアウター周壁４とインナー周壁５とにより開口部３が形成されている。アウター周壁４とインナー周壁５との間は、それぞれの後部において両側４箇所でブリッジ６により連結されている（図９参照）。アウター周壁４の内側面は、金型の抜き勾配の関係から、前面から後方にかけて狭くなったテーパ状に形成されている。インナー周壁５は、その両側部が両端部から中央部にかけて盛り上がっており、その両端部は、シーソー釦２の周壁２ｂに部分的に覆われるようにその高さが設定されるとともに、シーソー釦２の脚部２ｃを逃げるための凹部５ａが形成されている。そして、凹部５ａの両外側部分には、外側方向に向けて突出するように庇部５ｂが形成されている。この庇部５ｂは、図２に示すように、その両端部方向に突出する最大寸法Ａが、シーソー釦２の脚部２ｃの中心間距離とほぼ同じに設定されている。これにより、庇部５ｂは、シーソー釦２の周壁２ｂに対し、周壁２ｂの両端部間の最大寸法ＢよりもＢ−Ａだけ隙間が確保されることになり、図１に示すように、シーソー釦２を前面パネル１に組み立てた場合にも、シーソー釦２の周壁２ｂと庇部５ｂとが干渉することがない。
【００１５】
前面パネル１の後部には、プリント配線を施した基板７が配置され、基板７の表面には、シーソー釦２の脚部２ｃにより押圧されて動作するシートスイッチ８、およびシーソー釦２のトップ部２ａの裏面を照明する発光ダイオード９、その他の電子部品が実装されている。ここで、シートスイッチ８は、タクトスイッチなどのスイッチであってもよい。シーソー釦２は、乳白色のＡＢＳ樹脂により成形され、そのトップ部２ａと周壁２ｂが所定の色で塗装された後、トップ部２ａの塗装膜をレーザ加工により文字等の形に除去して、内側の乳白色部分を露出させたものであり、トップ部２ａの裏面に発光手段である発光ダイオード９からの光を当てることにより、その文字等を浮かび上がらせることができる。発光手段は、発光ダイオードだけでなく、ランプ、蛍光管などであってもよい。
【００１６】
次に、本実施の形態１における動作について説明する。図１および図３において、基板７上の発光ダイオード９を発光させると、発光ダイオード９からの光は、シーソー釦２のトップ部２ａの裏面で反射して、その一部の光は、前面パネル１のインナー周壁５の凹部５ａから外側に漏れようとする。その際、図５（ａ）に示すように、凹部５ａの内側にはシーソー釦２の脚部２ｃが存在するため、凹部５ａの内側から漏れようとする光線ａは、脚部２ｃに遮られて前面パネル１のアウター周壁４の内側面には到達せず、また、凹部５ａの両側の外側には庇部５ｂが存在するため、凹部５ａの外側から漏れようとする光線ｂは庇部５ｂによって遮られて前面パネル１のアウター周壁４の内側面には到達しない。このため、前面パネル１の前方からは漏光が視認されない。一方、庇部５ｂが存在しない場合には、図５（ｂ）に示すように、光線ａは脚部２ｃによって遮られるが、光線ｂは前面パネル１のアウター周壁４の内側面を照射することになり、その反射光が前面パネル１の前方から視認され、外観不良を発生させることになる。
【００１７】
このように、本実施の形態１によれば、前面パネル１の裏面に形成されたインナー周壁５に、シーソー釦２の脚部２ｃを逃げる凹部５ａの両外側に外側方向に突出する庇部５ｂが形成されているので、発光ダイオード９から出射した光が、シーソー釦２のトップ部２ａの裏面で反射して両端部から漏れようとしても、光が庇部５ｂによって遮られるので、外部から視認されることがなく、夜間点灯時における外観不良を防止することができる。この庇部５ｂは、シーソー釦２の一端が押下されておらず、水平状態のときに、光漏れに対して特に効果がある。
【００１８】
なお、本実施の形態１において、前面パネル１の裏面のインナー周壁５に形成される庇部５ｂは、図６に示すように、インナー周壁５１の両端部をシーソー釦２の脚部２ｃが挿入される位置よりも内側に引っ込めて形成し、その両端部において、脚部２ｃが挿入される位置を含めて庇部５２を形成し、この庇部５２に脚部２ｃを逃げるための凹部５３を形成するようにしても、同様な作用効果を得ることができる。
【００１９】
（実施の形態２）
次に、本発明の第２の実施の形態について説明する。本実施の形態２は、上記した実施の形態１とは、前面パネル１のアウター周壁の形状が相違することと、インナー周壁に設けた庇部がないことの２つが異なるのみである。従って、以下の説明では、同様な構成要素には同様な符号を付して重複した説明は省略し、アウター周壁の形状および作用についてのみ説明する。
【００２０】
図７は本実施の形態２における電子機器のシーソー釦型スイッチの構成を示す断面図、図８はその動作状態を示す断面図、図９はシーソー釦と前面パネルを逆さまにして上から見た分解斜視図である。前面パネル１の裏面に、シーソー釦２の周壁２ｂの外側に対向して形成されたアウター周壁４は、その内側面のうち、シーソー釦２が挿入される入口側の前部４ａが、前面から後方にかけて狭くなったテーパ状に形成され、出口側の後部４ｂが、前部４ａよりも外側方向に配置されており、言いかえると外側方向に引っ込んで凹状に形成されている。アウター周壁４の外側面は一緒である。
【００２１】
次に、本実施の形態２の動作について説明する。図７および図８において、基板７上の発光ダイオード９を発光させると、発光ダイオード９からの光は、シーソー釦２のトップ部２ａの裏面で反射して、その一部の光がシーソー釦２の両端部から外側に漏れて、アウター周壁４の内側面に向かうが、アウター周壁４の出口側の後部４ｂは、外側方向に引っ込んでいるため、漏れた光がこの引っ込んだ後部４ｂを照明しても、その反射光が前面パネル１の外側から視認されることがなく、外観不良を発生させることがない。
【００２２】
このように、本実施の形態２では、前面パネル１のアウター周壁４の内側面後部４ｂが外側方向に引っ込んでいるので、発光ダイオード９から出射した光が、シーソー釦２のトップ部２ａの裏面で反射して両端部から漏れても、漏れた光がその内側面下部により反射しても前面パネルの外側から視認されることがなく、夜間点灯時における外観不良を防止することができる。このアウター周壁４の形状は、シーソー釦２の一端が押下されて、傾いているときに、光漏れに対して特に効果がある。
【００２３】
なお、本実施の形態２では、アウター周壁４の内側面における前部４ａと後部４ｂとの関係は、図１０に示すように、後部４ｂを前部４ａから連続して、前面から後方にかけて広くなったテーパ状に形成してもよく、同様な作用効果を得ることができる。
【００２４】
（実施の形態３）
次に、本発明の第３の実施の形態について説明する。本実施の形態３は、上記した実施の形態１と実施の形態２の特徴を併せ持つものである。すなわち、図１１および図１２に示すように、前面パネル１の裏面に、シーソー釦２の周壁２ｂの内側に対向して形成されたインナー周壁５の凹部５ａの両外側には、外側方向に突出する庇部５ｂが形成され、また、前面パネル１の裏面に、シーソー釦２の周壁２ｂの外側に対向して形成されたアウター周壁４は、その内側面の後部４ｂが外側方向に引っ込んだ凹状に形成されている。したがって、本実施の形態３では、実施の形態１と実施の形態２の作用効果を併せ持つものである。この構成により、シーソー釦２が、一端が押下されない水平のときにも、一端が押下されて傾いたときにも、光漏れに対して効果がある。
【００２５】
【発明の効果】
以上説明したように、本発明の電子機器および操作装置は、電子機器の前面に設けられた前面パネルの開口部に前方から挿入されて、前面パネルに揺動可能に支持されるシーソー釦を備え、前面パネルの裏面には、シーソー釦の周壁の内側に対向するインナー周壁が形成され、このインナー周壁に、シーソー釦の周壁に向かって突出する庇部が形成されているので、シーソー釦のトップ部の裏面を照明する光が周壁から外側へ漏れようとしても、周壁の内側には、庇部を備えたインナー周壁が存在するので、漏れようとする光が庇部によって遮られ、シーソー釦の揺動端部からの漏光を防止して、夜間点灯時における外観不良を防止することができる。
【図面の簡単な説明】
【図１】本発明の実施の形態１における電子機器のシーソー釦型スイッチの構成を示す断面図
【図２】本発明の実施の形態１におけるシーソー釦と前面パネルの分解断面図
【図３】実施の形態１におけるシーソー釦型スイッチの動作状態を示す断面図
【図４】（ａ）実施の形態１におけるシーソー釦と前面パネルを上から見た状態の分解斜視図
（ｂ）前面パネルのインナー周壁端部の拡大斜視図
【図５】（ａ）実施の形態１における光線の進路を示す拡大断面図
（ｂ）従来例における光線の進路を示す拡大断面図
【図６】実施の形態１における変形例を示す分解斜視図
【図７】実施の形態２における電子機器のシーソー釦型スイッチの構成を示す断面図
【図８】実施の形態２におけるシーソー釦型スイッチの動作状態を示す断面図
【図９】実施の形態２におけるシーソー釦と前面パネルを逆さまにして上から見た状態の分解斜視図
【図１０】実施の形態２における変形例を示す断面図
【図１１】実施の形態３における電子機器のシーソー釦型スイッチの構成を示す断面図
【図１２】実施の形態３におけるシーソー釦と前面パネルを逆さまにして上から見た状態の分解斜視図
【符号の説明】
１  前面パネル
１ａ  支点ピン
２  シーソー釦
２ａ  トップ部
２ｂ  周壁
２ｃ  脚部
２ｄ  ピン穴
３  開口部
４  アウター周壁
４ａ  前部
４ｂ  後部
５  インナー周壁
５ａ  凹部
５ｂ  庇部
６  ブリッジ
７  基板
８  シートスイッチ
９  発光ダイオード
【図１】
2005025948.tif 000003
【図２】
2005025948.tif 000004
【図３】
2005025948.tif 000005
【図４】
2005025948.tif 000006
【図５】
2005025948.tif 000007
【図６】
2005025948.tif 000008
【図７】
2005025948.tif 000009
【図８】
2005025948.tif 000010
【図９】
2005025948.tif 000011
【図１０】
2005025948.tif 000012
【図１１】
2005025948.tif 000013
【図１２】
2005025948.tif 000014